(57)【特許請求の範囲】
【請求項１】
第一の羽根板の側縁の中央に設けられた中央筒体と第二の羽根板の側縁の軸方向の両端部に設けられて前記中央筒体の両側に配設された上下二つの端部筒体とをそれぞれ連通させるとともに、前記上下の端部筒体の外側の両開口端面から前記中央筒体内に延びる上下の支持軸がそれぞれ挿入されて前記両羽根板が互いに回動自在な構成とされ、前記中央筒体の内部には前記上下の支持軸に自身の両端を係止させたコイル状のばねが挿入されているとともに、前記下部支持軸は前記中央筒体の下方に固定され、且つ前記上部支持軸はラチェット機構を介して対向配置される上端部筒体に固定された固定部と前記ばねの係止部を有する回転部とから構成されてなり、前記回転部を回すことにより前記ばねを巻いて前記両羽根板に閉止方向の付勢力を与える自動閉止装置付き蝶番において、前記回転部の上端面に前記固定部を貫通して該固定部に対して相対的に回転可能にかつ摺動自在に設けた貫通軸を備え、この貫通軸の前記固定部からの突出端に手動操作用の操作頭部を設けたことを特徴とする自動閉止装置付き蝶番。
【請求項２】
前記上端部筒体を羽根板の上部端縁より後退させて設けることで前記両羽根板の側縁によって形成される凹部を形成し、この凹部に前記操作頭部を収納させるとともに、前記操作頭部の外径を前記上端部筒体の外径と同径に形成してなる請求項１記載の自動閉止付き蝶番。
【発明の詳細な説明】
【０００１】
【発明の属する技術分野】
本発明は、回動して開閉する扉に取り付ける蝶番に係わり、開くと自動的に閉まる閉止装置を備えた蝶番に関するものである。
【０００２】
【従来の技術】
周知の如く、回動して開閉する扉には、扉を開けると扉を閉めるドアクローザーが付けられたものがある。このドアクローザーは扉の上に本体を取り付けて、この本体から扉と鴨居とを接続するアームが延びている。
【０００３】
しかし、このドアクローザーは扉の表面に取り付けるので、景観を損なうという欠点があり、景観を重要視する建造物には適していない。
【０００４】
そこで、従来から回動して開閉する扉に取り付けられる蝶番の中には、回動の支点となる筒体にばねを挿入させて、このばね力で自動的に閉止させる手段を採って閉止装置を表面に露出させない構成とした蝶番があり、建造物の景観を損なわないという効果を有する。
【０００５】
この蝶番７１の従来例を図５，図６に就いて説明する。この従来例は扉が左右方向に開閉して蝶番７１の二枚の羽根板７２，７５も左右に回動しその回動軸が縦位置に配置される例である。
【０００６】
図５において、左側の第一の羽根板７２の側縁７３の中央には中央筒体７４が設けられ、また、右側の第二の羽根板７５の側縁７６の上下の端部には前記中央筒体７４の上下の端部を挟むように設けられた二つの端部筒体７７，７８が設けられている。即ち、中央筒体７４の軸線方向の両端部を上下二つの端部筒体７７，７８が挟んでいる構成である。また、中央筒体７４の内部にはコイル状のばね７９が挿入されている。
【０００７】
そして、上方に設けられた上端部筒体７７の上端の開口端面８０から中央筒体７４まで延びる上部支持軸８１が挿入され、また、下方に設けられた下端部筒体７８の下端の開口端面８２から中央筒体７４まで延びる下部支持軸８３が挿入され、これら二つの支持軸８１，８３を支軸として前記二枚の羽根板７２，７５が回動自在な構成となっている。尚、これら上下支持軸８１，８３の内側先端にはそれぞれ係止部８４，８５が形成されており、これらの係止部８４，８５にばね７９の上下の端部９１，９２が係止している。
【０００８】
また、上部支持軸８１は上端部筒体７７に固定された固定部８６と回転可能な回転部８７とによって構成され、これら固定部８６と回転部８７とはラチェット機構８８を介して連接されている。更に、図６に示されるように、固定部８６の中心には縦に貫通する平面円形の差込孔８９が穿設されているとともに、この差込孔８９に連通して回転部８７には平面正六角形の嵌合孔９０が穿設されている。
【０００９】
そして、六角レンチ９３を差込孔８９から嵌合孔９０に通して嵌合させ、六角レンチ９３を回して回転部８７を回転させてばね７９を卷くことにより、ばね７９に付勢力を発生させる。この付勢力が前記二枚の羽根板７２，７５の閉止方向の作用力となる。この作用力により扉を開けたとき自動的に扉が閉まるようになっている。
【００１０】
【発明が解決しようとする課題】
しかしながら、従来のものは、ばね７９に付勢力を発生させるにあたって、六角レンチ９３などの工具が必要であるばかりか、工具の差込孔８９が回転部８７の中心にあるため、回転部８７を回転させるには大きな力を必要とする操作性の悪いものであった。そのうえ、工具を使うことが必須の構成であることから、差込孔８９を固定部８６の外面に露出形成しなければならず、外観を損なうという問題も有った。
【００１１】
【課題を解決するための手段】
前記課題を解決するため、本発明は、従来例で示した自動閉止装置付き蝶番において、回転部の外側端面から固定部を貫通し、該固定部に対して相対的に回転可能であり、かつ軸心方向に摺動自在な貫通軸を設け、この貫通軸の固定部から突出した突出端には工具でなく、手動操作用の操作頭部を備えたことから、手動操作でばねを巻き付勢力を発生させさせることができ、前述の問題点を解決する手段とした。
【００１２】
前記の構成に加えて、上部支持軸を挿入させた上端部筒体を羽根板の上端縁より後退させて設けることで前記両羽根板の側縁によって形成される凹部を形成し、この凹部に前記操作頭部を収納させるとともに、この操作頭部の外径を上端部筒体の外径と同径に形成させるのが好ましい。
【００１３】
更に、前記操作頭部の外周面に操作棒を差し込む係止孔を穿設させることもある。
【００１４】
【発明の実施の形態】
本発明の一つの実施の形態を図１乃至図４に就いて説明する。本実施の形態の蝶番１は、扉４が左右方向に開閉することにより二枚の羽根板３，５も左右方向に開閉するその回動軸が縦位置に配置された例である。
【００１５】
本実施の形態の蝶番１は、主に縦枠２に取り付けられる第一の羽根板３と、扉４に取り付けられる第二の羽根板５と、これら二枚の羽根板３，５の開閉の支軸となる上部支持軸６および下部支持軸７と、閉止方向の付勢力となるばね８とから構成される。
【００１６】
第一の羽根板３は、その側縁９の中央に中央筒体１０が設けられ、この中央筒体１０の内部にコイル状のばね８が挿入されている。また、中央筒体１０の周面の下方位置にはピン孔１１が穿設されている。第二の羽根板５は、その側縁１２の軸線方向、本実施の形態では上下方向の端部に中央筒体１０の長さとほぼ同じ間隔をおいて上下二つの端部筒体１３，１４が設けられている。上端部筒体１３は羽根板３，５の上端縁１６よりやや下方に位置しているとともに、周面の上方位置にはピン孔１７が穿設されている。そして、上下二つの端部筒体１３，１４は中央筒体１０を上下の端部を挟むようにそれぞれ連通した位置に設けられている。そして、上端部筒体１３は羽根板３，５の上端縁１６よりやや下方に位置しているので、上端部筒体１３の上方は上端部筒体１３の上端の開口端面１８と、第一の羽根板３の側縁９と、第二の羽根板の側縁１２とによって囲まれた凹部１９となっている。尚、中央筒体１０の上端の開口端面２０と上端部筒体１３の下端の開口端面２２との間、および、中央筒体１０の下端の開口端面２１と下端部筒体１４の上端の開口端面２３との間にはそれぞれ合成樹脂からなる環状の滑動部材２４が嵌入され、中央筒体１０と上下両端部筒体１３，１４とはこれら滑動部材２４を介して連接され、二枚の羽根板３，５の開閉を滑らかにしている。
【００１７】
上端部筒体１３には上部支持軸６が挿入されており、この上部支持軸６は、上端部筒体１３に固定される固定部２５と、係止部２７を有し回転可能な回転部２６と、操作頭部２８とによって構成されている。
【００１８】
固定部２５は上端部筒体１３の上部に完全に挿入されるもので、中心には上下方向に貫通する貫通通孔２９が穿設されているとともに、外周面には孔３０が穿設されている。そして、止めピン３１を上端部筒体１３のピン孔１７に貫通させて孔３０に挿入することでこの固定部２５を端部筒体１３に固定させている。
【００１９】
回転部２６は、固定部２５の下に位置してその上部は上端部筒体１３に挿入されているもので、下端には溝状の係止部２７が形成されており、この係止部２７にはばね８の上方の端部３２が圧入されて係止されている。そして、この回転部２６と固定部２５とはラチェット機構３３を介して連接されている。
【００２０】
操作頭部２８は短尺な円柱体であり、その外径は上端部筒体１３の外径とほぼ等しく形成され、その上端面の中心には円形の溝穴３５が穿設され、更にこの溝穴３５の中心には平面正方形の貫通孔３６が穿設されている。そして、この操作頭部２８は前述の凹部１９に完全に収納されて配置されている。更に操作頭部２８の外周面には等間隔に四つの係止孔３８が穿設されている。
【００２１】
そして、回転部２６の上端面の中心には角状の軸３４が設けられ、この軸３４が固定部２５の通孔２９を回転可能に貫通し、更に操作頭部２８の貫通孔３６を回転不能且つ摺動可能に貫通している。そして、軸３４の先端には短尺な円柱状の摺動体３７が設けられ、この摺動体３７が穴溝３５に摺動可能に緩嵌されている。このように回転部２６と操作頭部２８とは軸３４によって接続されている。
【００２２】
従って、操作頭部２８を回すと、ばね８のばね力に抗してラチェット機構３３が外れて回転部２６が回転してばね８を卷くこととなる。即ち、操作頭部２８を回すとラチェット機構３３が係脱を繰り返し、それに伴って回転部２６、軸３４、摺動体３７も上下に摺動を繰り返しながら回転する。
【００２３】
また、下端部筒体１４には、上端に溝状の係止部４６が形成された下部支持軸７が下端の開口端面４８から挿入されている。下部支持軸７の係止部４６は中央筒体１０の内部にあってばね８の下方の端部４０が圧入されて係止されているとともに、下部支持軸７の外周面には孔３９が穿設されている。そして、止めピン４１を中央筒体１０のピン孔１１に貫通させて孔３９に挿入することで、この下部支持軸７を中央筒体１０に固定させている。
【００２４】
このように、二枚の羽根板３，５は上下の二つの支持軸６，７を支軸として開閉するとともに、ばね８はその上下の端部３２，４０で二つの支持軸６，７の係止部２７，３８に係止されている。
【００２５】
以上のように構成した本実施の形態の蝶番１は、通常の蝶番と同様に第一の羽根板３を縦枠２の取付凹部４２に止めねじ４３によって、第二の羽根板５を扉４の取付凹部４４に止めねじ４５によってそれぞれ取り付ける。そして、操作頭部２８を手で回す。このように操作頭部２８を手で回すことによって、ばね８が巻かれてばね８に付勢力を発生させる。この付勢力は上下二つの支持軸６、７を介して二枚の羽根板３、５に及び、扉４の閉止方向の作用力となって働く。このような基本的な構成に対して、操作頭部２８の外周面に係止孔３８を設け、操作棒４７を差し込んで回すことで、ばね８に付勢力を発生させることも追加要件的には可能な構成である。
【００２６】
従って、扉４は閉じた状態で閉方向に付勢されており、また、扉４を開いたときには、更にばね８は卷かれてバネ８には強い付勢力が付加され、自動的に容易に扉４が閉まるようになっている。
【００２７】
尚、前記実施の形態の蝶番１では、上部支持軸６を挿入させた上端部筒体１３を羽根板３，５の上端縁１６より後退させて設けることで二つの羽根板３，５の側縁９，１２による凹部１９を形成し、この凹部１９に操作頭部２８を収納させるとともに、この操作頭部２８の外径を上端部筒体１３の外径と同径に形成したことにより、操作頭部２８は上端部筒体１３と周面が揃い、且つ羽根板３，５の側縁９，１２の上端角部より突出しないため、きわめて外観上優れた美観を呈するという効果を有する。しかし、本発明はこの構成に限定されるものではなく、例えば、操作頭部２８を側縁９，１２の上端角部から突出するように上端部筒体１３を設けてもよい。
【００２８】
また、操作頭部２８の外周面に係止孔３８を設けたことにより、この係止孔３８に操作棒４７を差し込んで回すと、操作頭部２８の中心から離れた位置から回すこととなり、従来の回転部２６の中心の位置で回転操作をするのに比べ、大きな力を必要とすることなくばね８を巻くことができるという効果がある。しかし、本発明は係止孔３８を形成しないこともある。
【００２９】
また、既述の説明においては、蝶番１の操作頭部２８の位置する側を蝶番１の上部側として述べたが、操作頭部側２８を下にして取り付け使用できることは言う迄もない。更に、前記実施の形態の蝶番１は、扉４が左右方向に開閉して二枚の羽根板３，５も左右方向に開閉しその回転軸が縦位置に配置される例で説明したが、扉が上下方向に開閉し二枚の羽根板も上下方向に開閉してその回転軸が横位置に配置される場合でも本発明は適用されることは言う迄もない。
【００３０】
【発明の効果】
以上のように本発明は、羽根板の筒体の内部に設けたばねに与えた付勢力によって自動的に扉が閉まる機構を備えた蝶番にあって、付勢力を与える支持軸を固定部と回転部とに分割し、且つ回転部に軸を介して操作頭部を設け、この操作頭部を手で回すという簡単な操作でばねに付勢力を与えることができるようにしたものである。従って、従来のように専用の工具を必要としない優れた操作性を有するとともに、工具の差込孔を形成する必要もないため、美観を損なうということがない。
【００３１】
更に、ラチェット機構を備えた上部支持軸を挿入させた上端部筒体を羽根板の上端縁より後退させて設けることで両羽根板の側縁による凹部を形成し、この凹部に操作頭部を収納させ、且つ操作頭部の外径を上端部筒体の外径と同径に形成したので、操作頭部は、上端部筒体と周面が揃うとともに羽根板の側縁の上端角部より突出しないので、外観上優れた美観を呈する。
【００３２】
また、操作頭部の外周面に係止孔を設け、この係止孔に操作棒を差し込んで操作頭部に接続する回転部を回してばねを巻くすようにすれば、操作頭部の中心から離れた位置から回すので、わずかな力で操作頭部を回すことによってばねを巻くことができる。従って、従来の回転部の中心の位置で回転操作をするのに比べ操作性が極めてよい。
【図面の簡単な説明】
【図１】本発明の実施の形態を示す分解斜視図である。
【図２】前記実施の形態の一部切截正面図である。
【図３】前記実施の形態の支持軸の縦断面図である。
【図４】図３のＡ−Ａ線に沿う断面図である。
【図５】従来技術の一部切截正面図である。
【図６】前記従来技術の支持軸の縦断面図である。
【符号の説明】
１  蝶番
３  第一の羽根板
５  第二の羽根板
６  上部支持軸
７  下部支持軸
８  ばね
１０  中央筒体
１３  上端部筒体
１４  下端部筒体
２５  固定部
２６  回転部
２８  操作頭部
３３  ラチェット機構
【図１】
0003781465.tif 000002
【図２】
0003781465.tif 000003
【図３】
0003781465.tif 000004
【図４】
0003781465.tif 000005
【図５】
0003781465.tif 000006
【図６】
0003781465.tif 000007